(57)【特許請求の範囲】
【請求項１】
ハンドル部と、ヘッド部と、を含み、前記ヘッド部から固定顎が伸びており、前記ヘッド部には、スライド溝と、前記スライド溝と連通している収容穴と、が設けられている本体と、
一端にガイド部が設けられており、前記ガイド部の底縁に二列の歯部が設けられており、前記ガイド部によって前記スライド溝に収容されており、前記スライド溝に沿って摺動することができる自在顎と、
二つの歯付きブロックを有し、前記自在顎の二列の歯部に近接し又は離れることができるように、前記ヘッド部の収容穴に設けられており、前記二つの歯付きブロックの前記自在顎に近接する歯部には歯面が設けられており、前記二つの歯付きブロックの前記自在顎から遠ざかった歯部には、前記歯面と前記自在顎の歯部とが自動的に噛合うための弾性具が設けられている噛合具と、
少なくとも、一つの連接具と、一つの操作部と、を有し、前記連接具が前記操作部と前記噛合具を連接し、前記操作部が前記収容穴の一側に位置されている動かせ具と、を含み、
前記自在顎の二列の歯部は、前記ガイド部の底縁の両側面に傾斜状に形成されており、前記噛合具の歯付きブロックの歯面は、前記自在顎の二列の歯部に合せ可能に傾斜状に形成されていることを特徴とする、モンキー。
【請求項２】
前記二列の歯部は、相違するピッチを有することを特徴とする、請求項１に記載のモンキー。
【請求項３】
前記二列の歯部は、同じピッチを有し、且つ相互に交錯していることを特徴とする、請求項１に記載のモンキー。
【請求項４】
前記二列の歯部は、一列の歯部のピッチがヤード・ポンド法単位を採用し、他列の歯部のピッチが米慣習単位を採用することを特徴とする、請求項２に記載のモンキー。
【請求項５】
前記噛合具の歯付きブロックには、連接具を挿入可能な楕円形穴が開設されていることを特徴とする、請求項１乃至４の何れか１項に記載のモンキー。
【請求項６】
前記動かせ具は、一つの連接具と、二つの操作部と、を有し、前記二つの操作部はそれぞれ前記収容穴の両側に位置されていることを特徴とする、請求項１乃至５の何れか１項に記載のモンキー。
【発明の詳細な説明】
【技術分野】
【０００１】
本発明は、モンキーに係り、特に自在顎と固定顎の間の隙間を容易に調整可能なモンキー及びモンキー用自在顎に関するものである。
【背景技術】
【０００２】
従来、アメリカ合衆国特許第
1,523,093号公報に開示したように、モンキーのヘッド部内に収容穴が開設されており、前記収容穴に二つの歯付きブロックを入れることができ、前記二つの歯付きブロックの歯面が相互に交錯しており、且つそのうちの一つが自在顎のラックと噛合っており、他の歯面が離脱状態になり、且つ操作部を動かすと、前記二つの歯付きブロックが前記ラックから分離し、このとき、自在顎と固定顎の間の隙間を調整することができる。しかし、このような技術によれば、自在顎のロッドの底縁にはラックが一つだけ設けられているので、歯ピッチは一種類だけの単位（ヤード・ポンド法単位、又は米慣習単位）を採用するができ、ユーザが間違った単位を使用する可能性があり、そして自在顎と固定顎の間の隙間が締結具などのヘッドの幅よりもより大きいので、モンキーによって締結具を締め付けているときに、モンキーがヘッドから離脱し易く、そうすると、締結具のヘッドが損壊し易く、且つ自在顎のロッドの底縁にはラックが一つだけ設けられており、歯面の幅がより狭いので、前記底縁に二つの歯付きブロックを収容すると、歯面が本来の半分になり、歯面が崩れ易い。
【特許文献１】アメリカ合衆国特許第1,523,093号公報
【発明の開示】
【発明が解決しようとする課題】
【０００３】
本発明の主な目的は、自在顎のガイド部の底縁に二列の歯部を設けることができ、二列の歯部は、相違するピッチを有し、一列の歯部がヤード・ポンド法単位を採用し、他列の歯部が米慣習単位を採用し、これにより、何れの単位を採用する締結具であっても、確実に締め付けることができるモンキーを提供することにある。
【０００４】
本発明の次の目的は、自在顎のガイド部の底縁に二列の歯部を設けることができ、二列の歯部は、同じピッチを有し、且つ相互に交錯しており（すなわち、一列の歯部の峰が他列の歯部の谷に対応）、これにより、自在顎と固定顎の間の隙間と、締結具などのヘッドの幅との差を減少することができ、モンキーがヘッドから離脱する可能性が降下し、ひいては締結具のヘッドが損壊し難くなるモンキーを提供することにある。
【課題を解決するための手段】
【０００５】
本発明の請求項１に記載のモンキーによると、ハンドル部と、ヘッド部と、を含み、前記ヘッド部から固定顎が伸びており、前記ヘッド部には、スライド溝と、前記スライド溝と連通している収容穴と、が設けられている本体と、一端にガイド部が設けられており、前記ガイド部の底縁に二列の歯部が設けられており、前記ガイド部によって前記スライド溝に収容されており、前記スライド溝に沿って摺動することができる自在顎と、二つの歯付きブロックを有し、前記自在顎の二列の歯部に近接し又は離れることができるように、前記ヘッド部の収容穴に設けられており、前記二つの歯付きブロックの前記自在顎に近接する歯部には歯面が設けられており、前記二つの歯付きブロックの前記自在顎から遠ざかった歯部には、前記歯面と前記自在顎の歯部とが自動的に噛合うための弾性具が設けられている噛合具と、少なくとも、一つの連接具と、一つの操作部と、を有し、前記連接具が前記操作部と前記噛合具を連接し、前記操作部が前記収容穴の一側に位置されている動かせ具と、を含み、前記自在顎の二列の歯部は、前記ガイド部の底縁の両側面に傾斜状に形成されており、前記噛合具の歯付きブロックの歯面は、前記自在顎の二列の歯部に合せ可能に傾斜状に形成されていることを特徴とするモンキーである。
【０００６】
本発明の請求項２に記載のモンキーによると、前記二列の歯部は、相違するピッチを有する。
本発明の請求項３に記載のモンキーによると、前記二列の歯部は、同じピッチを有し、且つ相互に交錯している。
【０００７】
本発明の請求項４に記載のモンキーによると、前記二列の歯部は、一列の歯部のピッチがヤード・ポンド法単位を採用し、他列の歯部のピッチが米慣習単位を採用する。
【０００８】
本発明の請求項５に記載のモンキーによると、前記噛合具の歯付きブロックには、連接具を挿入可能な楕円形穴が開設されている。
本発明の請求項６に記載のモンキーによると、前記動かせ具は、一つの連接具と、二つの操作部と、を有し、前記二つの操作部はそれぞれ前記収容穴の両側に位置されている。
【発明の効果】
【０００９】
本発明のモンキーによれば、次のような効果がある。
（１）自在顎のガイド部の底縁に二列の歯部を設けることができ、二列の歯部は、相違するピッチを有し、一列の歯部がヤード・ポンド法単位を採用し、他列の歯部が米慣習単位を採用し、これにより、何れの単位を採用する締結具であっても、確実に挟むことができる。
【００１０】
（２）自在顎のガイド部の底縁に二列の歯部を設けることができ、二列の歯部は、同じピッチを有し、且つ相互に交錯しており（すなわち、一列の歯部の峰が他列の歯部の谷に対応）、これにより、自在顎と固定顎によって締結具などのヘッドを緊密に挟むことができ、モンキーがヘッドから離脱する可能性が降下し、ひいては締結具のヘッドが損壊し難くなる。
【００１１】
（３）自在顎のガイド部の底縁に二列の歯部を設けることができ、これらの歯部の形状は、凹んだ円弧形状を呈してもいいし、傾斜面形状を呈してもいいし、突出する円弧形状を呈してもよく、且つ噛合具の歯付きブロックの歯面の形状は、これらの歯部に合わせ可能な形状にされているので、歯部と歯面の接触面積が増加し、噛合う範囲を拡大することができ、自在顎の歯部と、噛合具の歯面と、が崩れ難くなる。
【発明を実施するための最良の形態】
【００１２】
以下、本発明の実施の形態を図面に基づいて説明する。
まず、図１乃至図４を参照する。本発明に係るモンキーは、本体１と、自在顎２０と、噛合具３０と、動かせ具４０と、を含む。前記本体１は、ハンドル部１０と、ヘッド部１１と、を含み、前記ヘッド部１１から固定顎１２が伸びており、前記固定顎１２の一側には固定顎挟み部１６が形成されており、前記ヘッド部１１の長手方向にはスライド溝１４が設けられており、前記ヘッド部１１の壁厚方向には、前記スライド溝１４と連通している長形の収容穴１５が開設されており、前記スライド溝１４の固定顎１２から遠ざかった一端のヘッド部１１の表面には穴１３が貫通に開設されており、前記穴１３にピン５０を挿通することができる。
【００１３】
前記自在顎２０は、ガイド部２１と、自在顎挟み部２２と、を含み、前記ガイド部２１は、スライド溝１４を摺動することができ、スライド溝１４に収容されており、これにより、自在顎２０がガイド部２１を介してスライド溝１４に沿ってスライドすることができ、且つ自在顎挟み部２２と固定顎により挟み部空間が形成され、自在顎挟み部２２と固定顎の間の隙間を減少すると、締結具を挟むことができ、また、ガイド部２１と自在顎挟み部２２の連接箇所では溝２３が形成されており、前記溝２３により、自在顎２０が外側へ移動されているときに自在顎２０がピン５０に寄り、自在顎の離脱を防止することができ、なお、ガイド部２１の底縁の左右側面には、歯部２４がそれぞれ設けられており、前記二列の歯部２４は、図２に示すように、相違するピッチを有してもよく（すなわち、一列の歯部のピッチがヤード・ポンド法単位を採用し、一列の歯部のピッチが米慣習単位を採用）、また、前記二列の歯部２４の形状は、図３に示すように、凹んだ円弧形状を呈してもいいし、傾斜面形状を呈してもいいし、突出する円弧形状を呈してもよく、そうすると、歯部２４と歯面３２の接触面積が増加し、噛合う範囲を拡大することができる。
【００１４】
前記噛合具３０は、二つの歯付きブロック３１を有し、前記自在顎２０の二列の歯部２４に近接し又は離れることができるように、前記ヘッド部１１の収容穴１５に設けられており、前記二つの歯付きブロック３１の前記自在顎２０に近接する一端には歯面３２が設けられており、前記二つの歯付きブロック３１の前記自在顎２０から遠ざかった底端の両側には、弾性具３５を収容する底穴３４が開設されており、前記収容穴１５の底面に前記弾性具３５の底端を押付けることにより、前記歯付きブロック３１の歯面３２と前記自在顎２０の歯部２４が自動的に噛合い、前記歯付きブロック３１の歯面３２の形状は、前記自在顎２０の歯部２４の形状に合せ可能な形状にされ、前記二つの歯付きブロック３１には、その壁厚方向に楕円形穴３３が開設されており、前記楕円形穴３３に動かせ具４０を貫入し設けることができる。
【００１５】
前記動かせ具４０は、二つの操作部４１と、一つの連接具４２と、を有し、前記二つの操作部４１は、ヘッド部１１の収容穴１５の両側に設けられており、円形穴４１１が開設されており、前記円形穴４１１と前記楕円形穴３３とに前記連接具４２を貫入することにより、前記連接具４２が操作部４１と噛合具３０とに連接されており、前記動かせ具４０により、自在顎２０の歯部２４に噛合具３０を近接し、又は離れることができ、また、前記操作部４１の外側の底部には凸縁４１２が形成されており、前記凸縁４１２によりユーザは前記動かせ具４０を容易に動かすことができる。
【００１６】
次に、図５及び図６を参照しながら本発明の使用状態を説明する。収容穴１５に設けられている噛合具３０は、弾性具３５の付勢によって歯面３２が歯部２４と噛合うようになるので、ヘッド部１１に設けられた操作部４１を凸縁４１２へ押えるときには、連接具４２により噛合具３０が自在顎２０の歯部２４から離れ、そうすると、ガイド部２１がスライド溝１４を左右に摺動することができ、すなわち、自在顎２０と固定顎１２の間の隙間を調整することができる。また、図７及び図８に示すように、操作部４１を放し、且つ自在顎２０のガイド部２１を固定顎１２へ移動するときには、二列の歯部２４の歯面と、前記歯面に対応する噛合具３０の歯面３２と、が全てジグザグを呈するので、噛合具３０がガイド部２１に押付けられ下に移動して、噛合具３０が二列の歯部２４の歯面から一時に離脱する状態になり、これにより、自在顎２０のガイド部２１が固定顎１２へ移動し、なお、自在顎２０のガイド部２１への押えを停止すると、噛合具３０の歯付きブロックが弾性具に押付けられ、歯付きブロック３１の歯面３２が自在顎２０の歯部２４と確実に噛合うようになり、そうすると、自在顎２０が固定される。
【００１７】
また、図９を参照する。締結具を挟みたいときには、自在顎２０のガイド部２１の一端面を押付けるだけで、締結具を挟むことができる。また、自在顎２０の適当の箇所では押付部２５を設けてもよく、前記押付部２５は、図９に示すように、凹んだ円弧形状を呈してもいいし、図１に示すように、伝統的な幾何形状を呈してもいいし、滑止め構成を有してもよく、自在顎の二列の歯部２４と、歯付きブロック３１の歯面３２と、が全てジグザグを呈するので、自在顎２０が固定顎１２だけへ移動可能であり、固定顎１２に自在顎２０を押付ける場合に、図１０に示すように、自在顎２０の左列の歯部２４（ヤード・ポンド法単位を採用）と、左の歯付きブロック３１の歯面３２（ヤード・ポンド法単位を採用）と、が自動的に相互に噛合い、このとき、自在顎２０の右列の歯部２４（米慣習単位を採用）と、右の歯付きブロック３１の歯面３２（米慣習単位を採用）と、が分離し、固定顎１２に自在顎２０を再び少し押付けると、図１１に示すように、自在顎２０の右列の歯部２４（米慣習単位を採用）と、右の歯付きブロック３１の歯面３２（米慣習単位を採用）と、が自動的で相互に噛合い、なお、自在顎２０の左列の歯部２４（ヤード・ポンド法単位を採用）と、左の歯付きブロック３１の歯面３２（ヤード・ポンド法単位を採用）と、が分離するようになり、このような構成によれば、何れの単位を採用する締結具であっても、自在顎２０を内側へ押えるだけで、締結具を確実に挟むことができる。
【００１８】
また、自在顎２０の左右列の歯部２４を同じピッチ（ヤード・ポンド法単位（in）、又は米慣習単位（mm）を採用）にしてもよい。しかし、左右列の歯部２４が交錯に配設され（すなわち、一列の歯部の峰が他列の歯部の谷に対応）、例えば二つの歯付きブロックは、全て米慣習単位を採用し、ピッチが全て１mmであり、なお、左右列の歯部２４が交錯に配設されており、自在顎２０を内側へ押付ける場合には、左の歯付きブロック３１が左列の歯部２４と噛合い、なお、右の歯付きブロック３１が右列の歯部２４から分離し、上記の押付を続けると、左の歯付きブロック３１が左列の歯部２４から分離し、右の歯付きブロック３１が右列の歯部２４と噛合い、このように、左右列の歯部２４が噛合-分離-噛合-分離のサイクルを循環し、これにより、自在顎の内側への変位ピッチが0.5mmになり、すなわち、自在顎２０と固定顎１２によって締結具を挟んでいるときに、自在顎２０と固定顎１２は締結具を更に緊密に挟むことができるので、モンキーがヘッドから離脱する可能性が降下し、ひいては締結具のヘッドが損壊し難くなる。
【図面の簡単な説明】
【００１９】
【図１】本発明に係るモンキーの分解斜視図
【図２】本発明に係る自在顎は、一列の歯部のピッチがヤード・ポンド法単位を採用し、一列の歯部のピッチが米慣習単位を採用することを示す概略図
【図３】本発明に係る自在顎のガイド部の歯部の形状を示す概略図
【図４】本発明に係るモンキーの組合せ状態の概略図
【図５】本発明に係る自在顎がスライド溝を左右にスライドすることができる状態を示す概略図
【図６】本発明に係るモンキーの操作部が下に押付けられている状態の概略図
【図７】本発明に係る自在顎が固定された状態の概略図
【図８】本発明に係る噛合具が弾性具に押付けられている状態の概略図
【図９】本発明に係る自在顎が押付けられて内側へ変位している状態の概略図
【図１０】本発明に係る自在顎が押付けられて、左歯付きブロックが左側の歯部と噛合っている状態の概略図
【図１１】本発明に係る自在顎が押付けられて、右歯付きブロックが右側の歯部と噛合っている状態の概略図
【符号の説明】
【００２０】
１      本体
１０    ハンドル
１１    ヘッド部
１２    固定顎
１３    穴
１４    スライド溝
１５    収容穴
１６    固定顎挟み部
２０    自在顎
２１    ガイド部
２２    自在顎挟み部
２３    溝
２４    歯部
２５    押付部
３０    噛合具
３１    歯付きブロック
３２    歯面
３３    楕円形穴
３４    底穴
３５    弾性具
４０    動かせ具
４１    操作部
４２    連接具
５０    ピン
４１１  円形穴
４１２  凸縁
【図１】
0004980320.tif 000002
【図２】
0004980320.tif 000003
【図３】
0004980320.tif 000004
【図４】
0004980320.tif 000005
【図５】
0004980320.tif 000006
【図６】
0004980320.tif 000007
【図７】
0004980320.tif 000008
【図８】
0004980320.tif 000009
【図９】
0004980320.tif 000010
【図１０】
0004980320.tif 000011
【図１１】
0004980320.tif 000012